(57)【要約】【課題】照明器具に接続されるケーブルと、照明器具を支持するアームとの干渉を低減することができる照明装置を提供する。【解決手段】光源を有する光源部および前記光源を調光可能に点灯する点灯回路を収容し、前記光源部からの光を投光する投光部が一端側に設けられた本体ケース、この本体ケースの他端側の側面部分に他端に向けて幅寸法が小さくなる方向に傾斜した傾斜面４ｈおよびこの傾斜面４ｈの外面に配設されて点灯回路に電気的に接続されるコネクタ２３C，２４を有する照明器具２と；本体ケースの幅方向両側面を回動可能に支持するアーム３と；を具備している。【選択図】  図１
2010192371.tif 000002
【特許請求の範囲】
【請求項１】
光源を有する光源部および前記光源を調光可能に点灯する点灯回路を収容し、前記光源部からの光を投光する投光部が一端側に設けられた本体ケース、この本体ケースの他端側の側面部分に他端に向けて幅寸法が小さくなる方向に傾斜した傾斜面およびこの傾斜面の外面に配設されて点灯回路に電気的に接続されるコネクタを有する照明器具と；
本体ケースの幅方向両側面を回動可能に支持するアームと；
を具備していることを特徴とする照明装置。
【請求項２】
光源を有する光源部および前記光源を調光可能に点灯する点灯回路を収容し、前記光源部からの光を投光する投光部が一端側に設けられた本体ケース、この本体ケースの他端側の側面部分に形成された凹部およびこの凹部底面に配設されて点灯回路に電気的に接続されるコネクタを有する照明器具と；
本体ケースの幅方向両側面を回動可能に支持するアームと；
を具備していることを特徴とする照明装置。
【請求項３】
コネクタは、ケーブルの一端に接続されたＬ形に屈曲したＬ形プラグに、着脱可能に装着されることを特徴とする請求項１または２記載の照明装置。
【発明の詳細な説明】
【技術分野】
【０００１】
本発明は、例えば演出効果を得るために舞台やスタジオなどの高所に配設される照明装置に関する。
【背景技術】
【０００２】
従来、この種の照明装置の一例としては、投光部を有する照明器具の本体ケースの左右両側面を、例えばコ字状のアームの当該コ字状開口端部により回動可能に挟持し、その回動角をリモコン等により遠隔制御することにより、照明器具の投光方向を制御する照明装置が知られている（例えば、特許文献１参照）。
【先行技術文献】
【特許文献】
【０００３】
【特許文献１】特開２００８−２３６９０９号公報
【発明の概要】
【発明が解決しようとする課題】
【０００４】
このような特許文献１記載の照明装置では、その投光部の軸方向反対側の背面に、点灯電源受電用のコネクタを設けているので、照明器具の投光方向が垂直方向下方（重力方向）に制御されたときは、コネクタは光源の上方に位置するようになる。
【０００５】
このために、コネクタは光源の発熱により晒されるので、熱的に劣化し易い、という課題がある。
【０００６】
また、特許文献１記載の照明装置では、その照明器具の回動角をリモコンにより遠隔制御できるが、この照明器具の回動角を手動操作する照明装置の場合には、例えば、高所に配設された照明器具の背面側端部を、その下方から操作棒により押し当てたり、または引いたりして照明器具の回動角を手動操作する場合がある。この場合は、この操作棒が誤ってコネクタに衝当して破損させる場合もある。特に、この種の照明器具は、一般に高所に配設されることが多いので、その分、操作棒が長く重くなるに従って、操作棒による手動操作の困難性が増大するので、操作棒によるコネクタの破損の虞は一層高くなってしまう。
【０００７】
そこで、照明器具の側面に、これらコネクタを突設することが考えられるが、この場合には、このコネクタにプラグを介して接続された電力線や信号線等のケーブルが、照明器具の左右両側面を回動可能に挟持するコ字状のアームに干渉して絡み易くなり、これらケーブルの引き回しや照明器具の回動角の手動操作が容易ではないという課題も考えられる。
【０００８】
本発明は、このような事情を考慮してなされたもので、照明器具に接続されるケーブルと、照明器具を支持するアームとの干渉を低減することができる照明装置を提供することを目的とする。
【課題を解決するための手段】
【０００９】
請求項１に係る発明は、光源を有する光源部および前記光源を調光可能に点灯する点灯回路を収容し、前記光源部からの光を投光する投光部が一端側に設けられた本体ケース、この本体ケースの他端側の側面部分に他端に向けて幅寸法が小さくなる方向に傾斜した傾斜面およびこの傾斜面の外面に配設されて点灯回路に電気的に接続されるコネクタを有する照明器具と；本体ケースの幅方向両側面を回動可能に支持するアームと；を具備していることを特徴とする。
【００１０】
本請求項１以下において、光源は、ハロゲンランプやＬＥＤ（発光ダイオード）等でもよく、光源には限定されない。また、コネクタは、調光信号受信用、または点灯電源受電用のいずれか、もしくはその両者でもよい。ランプケースの左右両側面を回動可能に支持するアームは、その回動角が手動操作により制御されたときに、その回動角を保持するように構成されている。
【００１１】
請求項２に係る発明は、光源を有する光源部および前記光源を調光可能に点灯する点灯回路を収容し、前記光源部からの光を投光する投光部が一端側に設けられた本体ケース、この本体ケースの他端側の側面部分に形成された凹部およびこの凹部底面に配設されて点灯回路に電気的に接続されるコネクタを有する照明器具と；本体ケースの幅方向両側面を回動可能に支持するアームと；を具備していることを特徴とする。
【００１２】
凹部は、そのランプケースの軸方向一端側を開口させ、この開口端から、コネクタに接続されたケーブルを引き出すように構成してもよい。
【００１３】
請求項３に係る発明は、コネクタは、ケーブルの一端に接続されたＬ形に屈曲したＬ形プラグに、着脱可能に装着されることを特徴とする。
【００１４】
Ｌ形プラグは、そのコネクタに着脱可能に装着されるプラグ先端部を、ケーブルが接続されるプラグ本体部に対して中心軸回りに回転可能に構成してもよい。これによれば、コネクタにＬ形プラグを装着した状態で、このＬ形プラグの先端部に対して同本体部を中心軸回りに回動させることにより、ケーブルを回動させることができるので、ケーブルの引き回し方向の範囲を拡大させることができる。これにより、ケーブルの引き回しが容易になる。
【発明の効果】
【００１５】
請求項１に係る照明装置によれば、本体ケースの幅寸法が小さくなる方向に傾斜した傾斜面に配設されたコネクタにプラグ等を介して接続されたケーブルと、照明器具の本体ケースの左右両側面を回動可能に支持するアームとの干渉を低減できる。
【００１６】
請求項２に係る照明装置によれば、本体ケースの凹部外底面に配設されたコネクタにプラグ等を介して接続されたケーブルと、照明器具の本体ケースの左右両側面を回動可能に支持するアームとの干渉を低減できる。
【００１７】
請求項３に係る照明装置によれば、ランプケースのコネクタに着脱可能に装着されるプラグがＬ形であるので、このプラグに接続されたケーブルをランプケースの側面に沿って引き回すことができ、ケーブルとアームとの干渉を一段と低減することができる。
【図面の簡単な説明】
【００１８】
【図１】本発明の第１の実施形態に係る照明装置の下方投光状態の正面図。
【図２】図１により示す照明装置の横方向投光状態の正面図。
【図３】図２の側面図。
【図４】図２の背面図。
【図５】図１〜図４により示す照明装置の内部構成を示す図。
【図６】図１等により示す傾斜面の正面図。
【図７】図１等により示すコネクタに装着されるＬ形プラグケーブルの要部側面図。
【図８】本発明の第２の実施形態に係る照明装置の下方投光状態の正面図。
【発明を実施するための形態】
【００１９】
以下、本発明の実施形態を添付図面に基づいて説明する。これら複数の添付図面中、同一または相当部分には同一符号を付している。
【００２０】
図１は本発明の第１の実施形態に係る照明装置の下方投光状態の正面図、図２は図１により示す照明装置の横方向投光状態の正面図、図３は図２の側面図、図４は図２の背面図である。これらの図に示すように照明装置１は、照明器具２と、この照明器具２の左右両側面を回動可能、かつその回動角保持可能に挟持するコ字状のアーム３と、を具備している。
【００２１】
照明器具２は、本体ケースとしての光源ユニット４と、この光源ユニット４に所要の間隙を置いて同軸状に連結された投影ユニット５を有する。図５に示すように光源ユニット４は、例えば８角筒等角筒状の本体ケースの一例である光源ユニットケース４ａ内に、主に光源部の一例である面状光源６、ヒートシンクからなる放熱器７、電源ユニット８、点灯回路ユニット９をそれぞれ収容している。
【００２２】
面状光源６は、光源ユニット４の投影ユニット５側の一端部（図５では左端部）側に配設されている。面状光源６は、平板状の電気絶縁基板に、鋼箔により配線をプリントしてなるプリント基板１０に、白色や青色、赤色等複数色または単色のＬＥＤ（発光ダイオード）１１を複数個実装している。
【００２３】
そして、このプリント基板１０の前面（図５では左側面）には、面状多孔リフレクタ１２を装着しており、この面状多孔リフレクタ１２により、ＬＥＤ１１からの光を前方（図５では左側方）に投光する投光部を構成している。
【００２４】
そして、面状光源６は、その背面に、放熱器７のベースの前面を直接的に取り付け、面状光源６での発熱を放熱器７の放熱フィン７ａから放熱される。光源ユニットケース４ａは、放熱フィン７ａと対向する側面の一部を切り欠いて矩形等の複数の開口部４ｂを形成し、これら開口部４ｂ，４ｂには、通気性に優れた金属メッシュ等の多孔板４ｃをそれぞれ張設し、外気通風可能に構成している。また、面状多孔リフレクタ１２に近接して筒状光路１３が設けられており、この筒状光路１３は、面状多孔リフレクタ１２により配光特性が制御されたＬＥＤ１１の光を投影ユニット５内に導光する。筒状光路１３は、その内部を反射面に形成し、筒状光路１３の内部には、面状多孔リフレクタ１２で配光制御された面状光源６からの光を拡散させる拡散フィルタ１４が設けられている。
【００２５】
そして、筒状光路１３と投影ユニット５との間の間隙であって筒状光路１３の開口端部近傍には、カッター部１５が設けられる。このため、カッター部１５には面状光源１６から出射された光のほとんどが到達することになり、光漏れや光損失が抑制される効率が向上する。
【００２６】
このカッター部１５は、筒状光路１３から出射される光を円形や矩形等所要の形状に制御するものであり、カッター部１５で光の形状が制御された光は、投影ユニット５の拡散シート１６を介して投影レンズ１７ａ，１７ｂに出射される。これら投影レンズ１７ａ，１７ｂの位置は調整ハンドル１７ｃ，１７ｄの回動操作により調整されてフォーカスされる。また、投影レンズ１７ａ，１７ｂは、カッター部１５を通った光を、拡大、縮小、フォーカシングさせて外部に照射する。なお、カッター部１５は、図１，図３，図４，図８では図示の都合上、省略している。拡散シート１６はカッター部１５でカットした光の形状のエッジ部分をぼかすために設けられている。光の形状のエッジ部分を鮮明にする場合には拡散シート１６を設ける必要はない。
【００２７】
また、光源ユニット４は投影ユニット５に複数の支持棒１８により着脱可能に取り付けられる。支持棒１８は投影ユニット５に差し込み式にて着脱可能に取り付けられる。
【００２８】
なお、光源ユニットケース４ａの背面に突設されたコ字状の操作端４ｉは図示しない操作棒により押し付け、または引張り等の操作により、照明装置１の回動角が制御されるものである。また、図５中、符号２ａは操作具を有する操作ユニットである。
【００２９】
そして、アーム３は、例えば円管をコ字状に折曲して形成され、その一対のコ字状開口端部３ａ，３ｂを、光源ユニットケース４ａの前端部、すなわち、投影ユニット５側の一端部の左右両側面４ｅ，４ｆに、左右一対のピン１９，２０により、これらピン１９，２０の中心軸回りに回動可能に取り付けている。
【００３０】
そして、これらピン１９，２０の一方、例えば１９は、その外周に、アーム３の一方の開口端部３ａと光源ユニットケース４ａの一側面４ｅとの間隙において、板ばね２１を介在し、光源ユニット４を回動可能かつその回動角を保持可能に支持している。一方のピン１９の外端部には、その軸径よりも大径のつまみ１９ａが一体に形成されており、このつまみ１９ａの手動による回動操作により、板ばね２１の弾圧力を調整することにより、一対の開口端部３ａ，３ｂによる光源ユニット４の締付け力を適切に調整することができる。すなわち、つまみ１９ａの締付け力を調整することにより、光源ユニット４の回動角を容易に調整することができ、しかも、その回動角を保持することができるように板ばね２１の弾圧力を適宜調整することができる。
【００３１】
アーム３は、そのコ字状のクロスバー部３ｃの軸方向中間部に、図示しないハンガーに装着される金具３ｄを突設している。このハンガーがスタジオや舞台等のバトン等に取り付けられることにより、照明装置１がバトンに吊り下げられる。また、クロスバー部３ｃには、例えばバトン等に引掛けられる落下防止ロープ２２が締結される。
【００３２】
そして、図１や図４等により示すように光源ユニット４は、その光源ユニット４ａの他端側である背面４ｄ側の左右両側面４ｅ，４ｆに、背面４ｄ側（他端側）に向けて幅寸法が小さくなる方向に傾斜されたテーパ４ｇ，４ｈを形成している。したがって、これらテーパ４ｇ，４ｈには、光源ユニットケース４ａの背面４ｄ側に向けて傾斜面がそれぞれ形成される。これらテーパ４ｇ，４ｈの一方、例えば４ｈの外面には、単数または複数のコネクタ２３，２４が配設されている。
【００３３】
図６に示すように、これらコネクタ２３，２４は、例えば調光信号（ＤＭＸ）受信用（ＩＮ）のコネクタ２３と、同，調光信号送信用（ＯＵＴ）のコネクタ２４であり、調光信号受信用（ＩＮ）のコネクタ２３の内端は、調光制御回路を有する点灯回路ユニット９と、調光信号送信用（ＯＵＴ）のコネクタ２４の内端とにそれぞれ接続される。
【００３４】
このために、点灯回路ユニット９は、受信した調光信号（ＤＭＸ）により、面状光源６を調光することができる。また、調光信号送信用コネクタ２４を図示しない信号ケーブルにより他の光源ユニット４の調光信号受信用（ＩＮ）のコネクタ２３に接続する、いわゆるカスケード接続が可能である。
【００３５】
これらコネクタ２３，２４は銘板２５の一部に設けられる。銘板２５には、この外にメインスイッチ２６や電力端子台２７が配設される。
【００３６】
図７はこれらコネクタ２３，２４に着脱可能に装着されるＬ形プラグケーブル２８の要部側面図である。このＬ形プラグケーブル２８は、Ｌ形に屈曲形成されたＬ形プラグ２８ａにケーブル２８ｂを連結して構成されている。Ｌ形プラグ２８ａは、上記コネクタ２３，２４に着脱可能に装着される直胴状の先端部２８ｅに、ケーブル２８ｂが接続されたＬ形のプラグ本体２８ｄを、先端部２８ｅの中心軸回りに回動可能に連結している。このために、Ｌ形プラグ２８ａの先端部２８ｃをコネクタ２３，２４に装着した状態で、プラグ本体２８ｄとケーブル２８ｂを、プラグ先端部２８ｃの中心軸回りに回動することができる。
【００３７】
したがって、この照明装置１は、光源ユニットケース４ａの左右両側面４ｅ，４ｆに、その背面４ｄ側にテーパ４ｇ，４ｈを形成し、その一方のテーパ４ｈにコネクタ２３，２４を配設したので、図１に示すようにこの照明装置１を垂直方向下方へ投光する場合でも、コネクタ２３，２４を設けたテーパ４ｈが先細傾斜面であるので、コネクタ２３，２４とアーム３の一端部（図１では右端部）との間隙を拡大することができる。
【００３８】
このために、コネクタ２３，２４に装着されたＬ形プラグケーブル２８ｂを、テーパ４ｇ，４ｈの先細方向へ引き出すことにより、アーム３との干渉を低減することができる。
【００３９】
また、Ｌ形プラグケーブル２８ｂは、その先端部２８ｃをコネクタ２３，２４に装着した状態で、Ｌ形プラグ本体２８ｄとケーブル２８ｂを、その先端部２８ｃの中心軸回りに回動できるので、ケーブル２８ｂの引き回し方向の範囲を拡大することができる。このために、ケーブル２８ｂの引き回しを、さらに容易に行うことができる。
【００４０】
また、このようにケーブル２８ｂとアーム３との干渉が低減するので、光源ユニット４の背面４ｄ側の操作端４ｉを操作棒により押し当て、または引き掛けて引くことにより、光源ユニット４の回動角を制御する場合の当該手動操作の容易性を向上させることができる。
【００４１】
また、コネクタ２３，２４を光源ユニット４のテーパ４ｇ，４ｈに設け、背面４ｄ側には設けていないので、照明装置１を図４に示すように下方投光に回動制御した場合でも、面状光源部６の発熱の影響を受け易い照明装置１の背面４ｄ側に、コネクタ２３，２４が晒されることを低減することができる。このために、コネクタ２３，２４の熱的劣化を低減できる。さらに、この背面４ｄ側の操作端４ｉを操作棒により操作する際に、その操作棒がコネクタ２３，２４に誤って衝突して破損させる虞を低減できる。
【００４２】
図８は本発明の第２の実施形態に係る照明装置１Ａの下方投光状態の正面図である。この照明装置１Ａは、主に上記照明装置１におけるテーパ４ｇ，４ｈを、凹部２９に置換し、この凹部２９の外底面２９ａ上にコネクタ２３，２４を配設した点に特徴があり、これ以外の構成は照明装置１とほぼ同一である。
【００４３】
すなわち、照明装置１Ａは、光源ユニットケース４ａの一側面、例えば４ｆに所要大の凹部２９を形成し、この凹部２９の一端（図８では上端）を開口２９ｂさせている。そして、この凹部２９の外底面２９ａ上にコネクタ２３，２４を配設している。
【００４４】
この照明装置１Ａによっても、コネクタ２３，２４とアーム３の一端部（図８では右端部）との間隙は、凹部２９の深さにほぼ相当する間隙の分だけ拡大するので、コネクタ２３，２４に装着したＬ形プラグケーブル２８がアーム３の一端部に干渉することを低減できる。
【００４５】
また、凹部２９の図８中上端が開口２９ｂしているので、この開口２９ｂからＬ形プラグケーブル２８を引き出すことにより、その引き回しの容易性を一層向上させることができる。
【００４６】
さらに、コネクタ２３，２４は、光源ユニット４の側面４ｃの凹部２９に設けられ、背面４ｄ側には設けられていないので、照明装置１Ａの下方投光状態の場合でも面状光源部６により晒されて熱的に劣化することを低減することができる。
【００４７】
なお、上記実施形態では、投影ユニット５を具備した照明装置１，１Ａについて説明したが、本発明はこれに限定されるものではなく、例えば投影ユニット５を具備していない照明器具２にも適用することができる。
【符号の説明】
【００４８】
１，１Ａ…照明装置、２…照明器具、３…アーム、４…光源ユニット、４ａ…光源ユニットケース（本体ケース）、４ｅ，４ｆ…光源ユニットケースの左右側面、４ｇ，４ｈ…テーパ、４ｉ…操作端、５…投影ユニット、６…面状光源（光源部）、９…点灯回路ユニット、１２…面状多孔リフレクタ（投光部）、２３，２４…コネクタ、２８ａ…Ｌ形プラグ。
【図１】
2010192371.tif 000003
【図２】
2010192371.tif 000004
【図３】
2010192371.tif 000005
【図４】
2010192371.tif 000006
【図５】
2010192371.tif 000007
【図６】
2010192371.tif 000008
【図７】
2010192371.tif 000009
【図８】
2010192371.tif 000010